(57)【要約】【課題】室外ユニットの外箱の一部を形成する圧縮機室部前板の取り付けが一人でしかも容易に、確実にできる空気調和機の室外ユニットを提供する。【解決手段】送風機室（図示せず）と圧縮機室１４とを有する外箱１ａを、天板１１、送風機室側の吹き出し口部前板１２、圧縮機室１４を覆うと共に両側端部に略Ｌ字状の係止爪２０を複数設けた圧縮機室部前板１３、側面部を覆う右側板１６で構成し、吹き出し口部前板１２および右側板１６の端部に係止爪２０に係合する係合穴２１を複数設け、圧縮機室部前板１３の右側板１６側の係止爪２０の少なくとも一つを角度をつけて形成し、それを係合穴２１に挿入する事で圧縮機室部前板１３の右側板１６側が一時的に保持され、後は、吹き出し口部前板１２側のみ注意して、係止爪２０を係合穴２１に挿入すれば良い。【選択図】図２
2005180792.tif 000002
【特許請求の範囲】
【請求項１】
送風機を内蔵した送風機室と圧縮機を内蔵した圧縮機室とを有する外箱を備え、前記外箱は、天面に配された天板と、前記送風機室に連通する吹き出し口を設けた吹き出し口部前板と、前記圧縮機室の前部を覆う圧縮機室部前板と、側面部を覆う側板から構成され、前記圧縮機室部前板の両側端部に略Ｌ字状の係止爪を複数設け、前記吹き出し口部前板および前記側板の端部に前記係止爪に係合する係合穴をそれぞれ複数設け、前記圧縮機室部前板の一側の前記係止爪の少なくとも一つとその係止爪に係合する係合穴の少なくとも一方に、その係止爪を前記係合穴に一時的に保持する保持手段を設けたことを特徴とする空気調和機の室外ユニット。
【請求項２】
係止爪を係合穴に挿入する方向に対して角度をつけて形成することで保持手段としたことを特徴とする請求項１記載の空気調和機の室外ユニット。
【請求項３】
係止爪に係合する係合穴を、前記係止爪を挟持する小片を残した切り起こし穴とすることで保持手段としたことを特徴とする請求項１記載の空気調和機の室外ユニット。
【請求項４】
係止爪に係合する係合穴に、前記係止爪を挟持する小片を前記係合穴の近傍に固着して保持手段としたことを特徴とする請求項１記載の空気調和機の室外ユニット。
【発明の詳細な説明】
【技術分野】
【０００１】
本発明は空気調和機の室外ユニットに関するもので、特に室外ユニットの外郭を形成する外箱構成に関するものである。
【背景技術】
【０００２】
大能力タイプのルームエアコンの室外ユニットやパッケージエアコンの室外ユニットでは室外ユニットの横連続設置対応により一般のルームエアコンでは外装部から突出している配管接続部がユニット内部に収納されているので設置時の配管接続作業、冷媒追加充填作業また設置状態に応じて室外ユニット制御基板に設けられた種々の設定スイッチの操作を行うには圧縮機室また圧縮機室の上部に設けられ制御基板を収納する電装部品室とを覆う圧縮機室部前板を外して作業を行うことが必要となっている。そのため圧縮機室部前板は数本のネジを緩めることで簡単に取り外せる構成となっている。
【０００３】
以下に、従来の空気調和機の室外ユニットの外箱の構成を図５〜７を用いて説明する。
【０００４】
図５において、室外ユニット９０の外箱９０ａは、ユニットベース１００、天面部を覆う天板１０１、前面部を覆い送風機（図示せず）の吹き出し口１０２ａを設けた吹き出し口部前板１０２、圧縮機１０６を内蔵する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。圧縮機室部前板１０３は、前面側１０３ａと右側面側１０３ｂとで形成され、さらに圧縮機室部前板１０３の上端及び下端はそれぞれネジ１０３ｄで天板１０１とユニットベース１００に締結されている。
【０００５】
図６は、図５における圧縮機室部前板１０３の右側面側１０３ｂのＤ部と側板１０５ｂのＥ部を拡大した詳細図である。
【０００６】
図６に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。
【０００７】
室外ユニット９０を横方向に連続設置する場合に、圧縮機室部前板１０３が室外ユニット９０の手前方向に外せるようするために係止爪１１０は両端側ともに室外ユニット９０の奥行き方向に形成されており、対応する係合穴１１１は係止爪１１０に直交するように開口している。
【０００８】
以上のように、圧縮機室部前板１０３は、圧縮機室部前板１０３の右側面側１０３ｂ、左側端部１０３ｃに設けられた複数個の係止爪１１０と係合穴１１１との係合作用で取りつけられた後、上方にスライドされ、さらに上端、下端をそれぞれ１本のネジ１０３ｄで締結するだけで吹き出し口部前板１０２、側板１０５ａ、１０５ｂに固着できるため、多くのネジを使用する必要がなく、組立時の作業工数を低減できると共にネジ本数が少ないので見栄えもよい。また、圧縮機室部前板１０３を開ける時には２本のネジ１０３ｄを緩めるだけで圧縮機室部前板１０３が自重で下方に下がって簡単に外れるので便利である（例えば、特許文献１、２参照）。
【０００９】
図７は、他の従来の空気調和機の室外ユニットを示すもので、図５に示された室外ユニットとほぼ同様な外箱構成となっているが、図７に示されるように、圧縮機室部前板の部分と右側の側板部分とが一体に形成され、しかも右側の側板は１枚で形成され合わせ目が省略されている（例えば、特許文献３参照）。
【特許文献１】特開平６−１２３４４６号公報
【特許文献２】実開平５−６９５３５号公報
【特許文献３】特開平９−１９３９８９号公報
【発明の開示】
【発明が解決しようとする課題】
【００１０】
しかしながら上記従来の空気調和機の室外ユニットの外箱構成では、設置時に圧縮機室部前板１０３を開けての作業、例えば室外ユニット９０と室内ユニット（図示せず）をつなぐ際の冷媒配管接続、冷媒の追加充填や電線接続などを終了して圧縮機室部前板１０３を再度室外ユニット９０に取り付ける際に以下のような課題があった。
【００１１】
圧縮機室部前板１０３は大きな表面積を持ち、またその断面形状が略Ｌ字形状となっているためどうしても前面側１０３ａと右側面側１０３ｂとでヒネリが生じる。このヒネリはコストを掛けて金型の面数を増やすことである程度の改善は可能であるが完全でなく若干のヒネリは残る。
【００１２】
このヒネリが生じた圧縮機室部前板１０３を室外ユニット９０に再度取り付ける時に、例えば、先に側板側１０５ａ、１０５ｂに設けた複数の係合穴１１１に圧縮機室部前板１０３の右側面側１０３ｂの係止爪１１０を挿入し（この状態では圧縮機室部前板１０３は上方にスライドされていないため係合状態となっていない）、次に吹き出し口部前板１０２に設けた複数の係合穴１１１に圧縮機室部前板１０３の左側端部１０３ｃの係止爪１１０を挿入しようとすると、先に挿入した圧縮機室部前板１０３の右側面側１０３ｂの係止爪１１０の一部が挿入した係合穴１１１から抜けてしまうことがある。そこで右側面側１０３ｂに注意して再度取り付けようとすると、今度は、左側端部１０３ｃの係止爪１１０が係合穴１１１から外れてしまい、圧縮機室部前板１０３の取り付けが非常に困難であった。
【００１３】
このため、大規模設置工事など多人数で作業をしている場合には、一人が右側面側１０３ｂの係止爪１１０付近（まだ係合されていない）を押さえ、もう一人が左側端部１０３ｃの係止爪１１０付近を押さえて二人同時に圧縮機室部前板１０３を上方にスライドさせなければならなかった。又、一人で設置作業する場合、あるいは、一人で作業を行なうことが多いサービス時などでは、圧縮機室部前板１０３の再取り付けが極めて困難で、また多くの時間を費やし、さらに注意不足の場合には、一部の係止爪１１０と係合穴１１１が外れた状態で作業を終了してしまい、後日室外ユニット９０内の圧縮機室１０６ａや電装部品室１０４に雨水が浸入し、サビ付きや故障の原因となっていた。
【００１４】
本発明は、上記従来の課題を解決するもので、安価な構成で、見栄えを悪くすることもなく、一人で確実に、しかも簡単に圧縮機室部前板の取り付けができる空気調和機の室外ユニットを提供することを目的とするものである。
【課題を解決するための手段】
【００１５】
上記従来の課題を解決するために、本発明の空気調和機の室外ユニットは、送風機を内蔵した送風機室と圧縮機を内蔵した圧縮機室とを有する外箱を備え、前記外箱は、天面に配された天板と、前記送風機室に連通する吹き出し口を設けた吹き出し口部前板と、前記圧縮機室の前部を覆う圧縮機室部前板と、側面部を覆う側板から構成され、前記圧縮機室部前板の両側端部に略Ｌ字状の係止爪を複数設け、前記吹き出し口部前板および前記側板の端部に前記係止爪に係合する係合穴をそれぞれ複数設け、前記圧縮機室部前板の一側の前記係止爪の少なくとも一つとその係止爪に係合する係合穴の少なくとも一方に、その係止爪を前記係合穴に一時的に保持する保持手段を設けたもので、例えば、前記保持手段を前記圧縮機室部前板の前記側板側の前記係止爪に配したときは、その係止爪を前記側板の係合穴に挿入すると、前記保持手段により、前記係止爪が一時的に保持され、前記圧縮機室部前板の前記側板側が外れなくなり、後は、作業者は前記圧縮機室部前板の前記吹き出し口部前板側のみ注意して係止爪を係合穴に挿入すればよく、一人で確実に、しかも容易に前記圧縮機室部前板を取り付けることができる。
【発明の効果】
【００１６】
本発明の空気調和機の室外ユニットは、安価な構成で、見栄えを悪くすることもなく、一人で確実に、しかも簡単に圧縮機室部前板の取り付けができるので、作業効率が非常に良いものである。
【発明を実施するための最良の形態】
【００１７】
第１の発明は、 送風機を内蔵した送風機室と圧縮機を内蔵した圧縮機室とを有する外箱を備え、前記外箱は、天面に配された天板と、前記送風機室に連通する吹き出し口を設けた吹き出し口部前板と、前記圧縮機室の前部を覆う圧縮機室部前板と、側面部を覆う側板から構成され、前記圧縮機室部前板の両側端部に略Ｌ字状の係止爪を複数設け、前記吹き出し口部前板および前記側板の端部に前記係止爪に係合する係合穴をそれぞれ複数設け、前記圧縮機室部前板の一側の前記係止爪の少なくとも一つとその係止爪に係合する係合穴の少なくとも一方に、その係止爪を前記係合穴に一時的に保持する保持手段を設けたもので、例えば、前記保持手段を前記圧縮機室部前板の前記側板側の前記係止爪に配したときは、その係止爪を前記側板の前記係合穴に挿入すると、前記保持手段により、前記係止爪が一時的に保持され、前記圧縮機室部前板の前記側板側が外れなくなり、後は、作業者は前記圧縮機室部前板の前記吹き出し口部前板側のみ注意して係止爪を係合穴に挿入すればよく、一人で確実に、しかも容易に前記圧縮機室部前板を取り付けることができる。
【００１８】
第２の発明は、特に、第１の発明の係止爪を係合穴に挿入する方向に対して角度をつけて形成することで保持手段としたもので、例えば、角度をつけて形成した係止爪を圧縮機室部前板の側板側に配したときは、前記圧縮機室部前板を上記角度と同じぐらいの角度に傾けて前記係止爪を前記側板の前記係合穴に挿入し、次に前記圧縮機室部前板を正規の取りつけ位置に回動させると、前記係止爪が前記係合穴に一時的に保持され、作業者は前記圧縮機室部前板の吹き出し口部前板側のみ注意して係止爪を係合穴に挿入すればよく、一人で確実に、しかも容易に前記圧縮機室部前板の取り付けができる。
【００１９】
第３の発明は、特に、第１の発明の係止爪に係合する係合穴を前記係止爪を挟持する小片を残した切り起こし穴とすることで保持手段としたもので、切り起こし穴部の小片が挿入された係止爪を前記係合穴から抜けないように一旦挟持するので、後は、小片を設けていない側の係合穴部のみを注意して係止爪を挿入すればよく、作業者一人でも確実に圧縮機室部前板を取り付けることができる。
【００２０】
第４発明は、特に、第１の発明の係止爪に係合する係合穴に、前記係止爪を挟持する小片を前記係合穴の近傍に固着して保持手段としたもので、前記小片が挿入された係止爪を係合穴から抜けないように一旦挟持するので、後は、小片を設けていない側の係合穴部のみを注意して係止爪を挿入すればよく、作業者一人でも確実に圧縮機室部前板を取り付けることが可能となる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における空気調和機の室外ユニットの外箱構成を示す分解斜視図で、図２（ａ）は、同室外ユニットの圧縮機室部前板の取りつけ部の構成を示す横部分断面図（吹き出し口前板側）、図２（ｂ）は、同取りつけ部の構成を示す横部分断面図（側板側）、図２（ｃ）は、同取りつけ部の構成を示す部分正面図である
図において、室外ユニット１の外箱１ａは、底部を形成するユニットベース１０、天面部を覆う天板１１、前面部を覆うとともに内蔵された送風機（図示せず）による風を吹き出す吹き出し口１２ａを有する吹き出し口部前板１２、圧縮機（図示せず）を内蔵する圧縮機室１４や制御基板（図示せず）を収納する電装部品室１５を覆う圧縮機室部前板１３、右側面を覆う側板となる右側板１６から構成されている。
【００２３】
圧縮機室部前板１３は、前面に位置する前面部１３ａと、右側部１３ｂとで断面略Ｌ字状に形成されている。
【００２４】
図２において、圧縮機室部前板１３の左端部１３ｃと右側部１３ｂの端部のそれぞれに、後方に突出した略Ｌ字状の係止爪２０が３個設けられ、吹き出し口部前板１２および右側板１６のそれぞれの鉛直端部の前記係止爪２０に対応する位置に角形状の係合穴２１が設けられている。吹き出し口部前板１２に設けた係合穴２１に挿入される圧縮機室部前板１３の左端部１３ｃの３個の係止爪２０は、図２（ａ）に示すように従来と同じく室外ユニット１の奥行き方向（挿入方向）に突出して形成されているが、右側板１６の係合穴２１に挿入される右側部１３ｂの係止爪２０は、図２（ｂ）に示されるように、係合穴２０の開口幅寸法Ｌ２より大きい傾き寸法Ｌ２になるように奥行き方向に対して右方向に角度αをつけて曲げられて形成されている。
【００２５】
圧縮機室部前板１３の室外ユニット１への取り付けは、まず圧縮機室部前板１３の左端部１３ｃ側を、係止爪２０の右方向への曲げに合わせて手前にして圧縮機室部前板１３を傾け、右側部１３ｂの係止爪２０を右側板１６の３個の係合穴２１に挿入する。その後圧縮機室部前板１３の前面部１３ａを室外ユニット１の前面に対して並行になるよう回動させて戻すと、係止爪２０の傾き幅Ｌ１が係合穴２１の左右幅Ｌ２より大きいことから、抜けることなく一時的に保持されるので、後は、 圧縮機室部前板１３の左端部１３ｃ側のみ注意しながら同左端部１３ｃに設けた係止爪２０を吹き出し口部前板１２に設けた係合穴２１に差し込んで、圧縮機室部前板１３を上方にスライドさせ、ネジ２で、圧縮機室部前板１３の上端、下端を天板１１及び、ユニットベース１０にネジ２でそれぞれネジ止めすることで、圧縮機室部前板１３の取り付けは完了する。
【００２６】
以上のように、本実施の形態によれば、一人でも簡単に、しかも確実に圧縮機室部前板１３を取り付けることができるものである。
【００２７】
なお、上記実施の形態では、 圧縮機室部前板１３の右側板１６側の３個の係止爪２０を
角度を付けて曲げたが、１個の係止爪２０のみ曲げても、圧縮機室部前板１３の右側板１６側を一時的に保持する事ができるのは言うまでもない。さらに、圧縮機室部前板１３の右側板１６側の係止爪２０は従来通りまっすぐに形成し、圧縮機室部前板１３の左端部１３ｃの係止爪２０を曲げて、圧縮機室部前板１３の取り付け時に左端部１３ｃ側を一時的に保持するようにしても良い。
【００２８】
（実施の形態２）
図３は、本発明の第２の実施の形態における空気調和機の室外ユニットの要部断面図である。なお、上記実施の形態と同一部分については同一符号を付してその説明を省略する。
【００２９】
本実施の形態は、圧縮機室部前板１３の右側部１３ｂ、左端部１３ｃに係止爪２０を従来と同じく室外ユニット１の奥行き方向（挿入方向）に突出して形成する。一方吹き出し口部前板１２に設けた係合穴２１は従来例とおなじく角穴形状とし、右側板１６に設けた係合穴２１を、図３に示すように小片３０を残した切り残し穴として形成したものである。
【００３０】
上記構成における圧縮機室部前板１３の室外ユニット１本体への取り付け方法は以下の通りである。
【００３１】
まず右側板１６の３個の係合穴２１に圧縮機室部前板１３の右側部１３ｂの３個の係止爪２０を挿入する。この時切り起こし穴状に形成された係合穴２１の小片３０が係合穴２１の鉛直端部とで挿入された係止爪２０を係合穴２１から抜けないように一旦挟持するので、後は、小片３０を設けていない左端部１３ｃ側のみ注意して係止爪２０を係合穴２１に挿入し、次いで、圧縮機室部前板１３を上方にスライドさせてネジ２で締め付け固定するようにする。このように、本実施の形態においても、一人で、確実に圧縮機室部前板１３を取り付けることができる。
【００３２】
なお、上記実施の形態では、 右側板１６側の係合穴２１に、係止爪２０の一時保持用の小片３０を設けたが、右側板１６側の係合穴２１は従来通りとし、吹き出し口部前板１２の係合穴２１に小片３０を設けて、圧縮機室部前板１３の取り付け時に左端部１３ｃ側を一時的に保持するようにしても良い。
【００３３】
（実施の形態３）
図４は、本発明の第３の実施の形態における空気調和機の室外ユニットの要部断面図である。なお、上記実施の形態と同一部分については同一符号を付してその説明を省略する。
【００３４】
圧縮機室部前板１３の右側部１３ｂ、左端部１３ｃの係止爪２０は、いずれも従来例と同じく室外ユニット１の奥行き方向（挿入方向）に突出して形成されている。一方、吹き出し口部前板１２に設けた係合穴２１は従来例とおなじく角穴形状であるが、図４に示すように右側板１６に設けた係合穴２１の近傍に小片４０が溶接等で固着されている。
【００３５】
圧縮機室部前板１３の室外ユニット１への取り付け方法は、まず右側板１６の３個の係合穴２１に圧縮機室部前板１３の右側部１３ｂの３個の係止爪２０を挿入する。この時係合穴２１の近傍に固着された小片４０が係合穴２１の鉛直端部とで挿入された係止爪２０を係合穴２１から抜けないように一旦挟持するので、後は、小片４０を設けていない左端部１３ｃ側のみ注意して係止爪２０を係合穴２１に挿入し、次いで、圧縮機室部前板１３を上方にスライドさせてネジ２で締め付け固定するようにする。このように、本実施の形態においても、一人で、確実に圧縮機室部前板１３を取り付けることができる。
【００３６】
また、上記実施の形態では、 右側板１６側の係合穴２１に、係止爪２０の一時保持用の小片４０を設けたが、右側板１６側の係合穴２１は従来通りとし、吹き出し口部前板１２の係合穴２１に小片４０を設けて、圧縮機室部前板１３の取り付け時に左端部１３ｃ側を一時的に保持するようにしても良い。
【産業上の利用可能性】
【００３７】
以上のように、本発明に係る空気調和機の室外ユニットは、安価な構成で、見栄えを悪くすることもなく、一人で確実に、しかも簡単に圧縮機室部前板の取り付けができるので、作業効率が非常に良く、設置時、サービス時に着脱を要する板金製の扉、蓋などを有する各種機器、装置にも適用できるものである。
【図面の簡単な説明】
【００３８】
【図１】本発明の実施の形態１における空気調和機の室外ユニットの外箱構成を示す斜視図
【図２】（ａ）同室外ユニットの圧縮機室部前板の取りつけ部の構成を示す横部分断面図（吹き出し口前板側）（ｂ）同取りつけ部の構成を示す横部分断面図（側板側）（ｃ）同取りつけ部の構成を示す部分正面図
【図３】本発明の実施の形態２における空気調和機の室外ユニットの要部断面図
【図４】本発明の実施の形態３における空気調和機の室外ユニットの要部断面図
【図５】従来の空気調和機の室外ユニットの構成を示す展開斜視図
【図６】（ａ）図５のＤ、Ｅ部の拡大横断面図（ｂ）同Ｄ、Ｅ部の拡大正面図
【図７】従来の他の例を示す空気調和機の室外ユニットの斜視図
【符号の説明】
【００３９】
１ａ    外箱
１１    天板
１２    吹き出し口部前板
１３    圧縮機室部前板
１４    圧縮機室
１６    右側板（側板）
２０    係止爪
２１    係合穴
３０    小片
４０    小片
【図１】
2005180792.tif 000003
【図２】
2005180792.tif 000004
【図３】
2005180792.tif 000005
【図４】
2005180792.tif 000006
【図５】
2005180792.tif 000007
【図６】
2005180792.tif 000008
【図７】
2005180792.tif 000009